(57)【要約】本発明はスナップショット型偏光ハイパースペクトルカメラ及び結像方法を提供する。該カメラは偏光板（11）と、画像センサー（12）と、スペクトルフィルタ（13）とを含む。前記スペクトルフィルタ（13）は前記画像センサー（12）にある。前記偏光板（11）は前記画像センサー（12）の一側にある。この方法は、偏光板（11）によって、入射光を遮蔽したり、透過したりし、異なる偏光角度の光信号（101）を得るステップと、画像センサー（12）によって、前記偏光板（11）によって得られた異なる偏光角度の光信号を受信し、前記異なる偏光角度の光信号を電気信号（102）に変換するステップと、スペクトルフィルタ（13）によって、前記画像センサー（12）によって変換して得られた前記電気信号を受信し、前記電気信号に対してフィルタ処理を行い、所定波長の高周波電気信号（103）を得るステップとを含む。センサーのタイル型画素アレイにスペクトルフィルタ（13）を集積することにより、急激に変化するシーンに対しての結像を実現すると同時に、特定波長の各チャネル内に複数の偏光板（11）を貼り付けることにより、より精細な結像を実現する。【選択図】図1
2018513964.tif 000002
【特許請求の範囲】
【請求項１】
偏光板と、画像センサーと、スペクトルフィルタとを含み、前記スペクトルフィルタは前記画像センサーにあり、前記偏光板は前記画像センサーの一側にあり、
3つの前記偏光板は、第1の所定角度、第2の所定角度及び第3の所定角度で、所定波長のチャネルの第1の領域、第2の領域及び第3の領域にそれぞれ貼り付けられ、前記チャネルは4つの領域に分けられ、前記偏光板は、入射光を遮蔽したり、透過したりし、異なる偏光角度の光信号を得るためのものであり、
前記画像センサーは、前記3つの偏光板によって得られた異なる偏光角度の光信号を受信し、前記異なる偏光角度の光信号を電気信号に変換するためのものであり、
前記スペクトルフィルタは、前記画像センサーによって変換して得られた前記電気信号を受信し、前記電気信号に対してフィルタ処理を行い、所定波長の高周波電気信号を得るためのものであることを特徴とする、スナップショット型偏光ハイパースペクトルカメラ。
【請求項２】
前記第1の所定角度は0°であり、前記第2の所定角度は60°であり、前記第3の所定角度は120°であることを特徴とする、請求項1に記載のスナップショット型偏光ハイパースペクトルカメラ。
【請求項３】
前記偏光板は偏光フィルムと、内保護フィルムと、感圧性接着剤層と、外保護フィルムとを積層して構成された複合材料であることを特徴とする、請求項1に記載のスナップショット型偏光ハイパースペクトルカメラ。
【請求項４】
前記画像センサーは106台個のフォトダイオードを含み、各前記フォトダイオードは1つの画素として見なされ、前記画像センサーは前記画素より構成された画素アレイであることを特徴とする、請求項1に記載のスナップショット型偏光ハイパースペクトルカメラ。
【請求項５】
前記スペクトルフィルタはタイル型の前記画素アレイに集積されたことを特徴とする、請求項4に記載のスナップショット型偏光ハイパースペクトルカメラ。
【請求項６】
アナログ−デジタル変換器と、結像レンズと、機体とをさらに含み、
前記アナログ−デジタル変換器は、前記機体内にあり、前記スペクトルフィルタによって得られた高周波電気信号を受信し、前記高周波電気信号のアナログ信号をデジタル信号に変換するためのものであり、
前記結像レンズは、前記機体内にあり、前記アナログ−デジタル変換器によって得られたデジタル信号を受信し、前記デジタル信号を結像するためのものであることを特徴とする、請求項1に記載のスナップショット型偏光ハイパースペクトルカメラ。
【請求項７】
前記画像センサーはエリアアレイCCDセンサーであることを特徴とする、請求項1に記載のスナップショット型偏光ハイパースペクトルカメラ。
【請求項８】
偏光板によって、入射光を遮蔽したり、透過したりし、異なる偏光角度の光信号を得るステップと、
画像センサーによって、前記偏光板によって得られた異なる偏光角度の光信号を受信し、前記異なる偏光角度の光信号を電気信号に変換するステップと、
スペクトルフィルタによって、前記画像センサーによって変換して得られた前記電気信号を受信し、前記電気信号に対してフィルタ処理を行い、所定波長の高周波電気信号を得るステップとを含むことを特徴とする、スナップショット型偏光ハイパースペクトルカメラに基づいた結像方法。
【請求項９】
3つの前記偏光板は、第1の所定角度、第2の所定角度及び第3の所定角度で、所定波長のチャネルの第1の領域、第2の領域及び第3の領域にそれぞれ貼り付けられ、前記チャネルは4つの領域に分けられ、前記第1の所定角度は0°であり、前記第2の所定角度は60°であり、前記第3の所定角度は120°であることを特徴とする、請求項8に記載の方法。
【請求項１０】
アナログ−デジタル変換器によって、前記スペクトルフィルタによって得られた高周波電気信号を受信し、前記高周波電気信号のアナログ信号をデジタル信号に変換するステップと、
結像レンズによって、前記アナログ−デジタル変換器によって得られたデジタル信号を受信し、前記デジタル信号を結像するステップとをさらに含むことを特徴とする、請求項8に記載の方法。
【発明の詳細な説明】
【技術分野】
【０００１】
本発明はハイパースペクトルカメラの分野に関し、具体的には、スナップショット型偏光ハイパースペクトルカメラ及び結像方法に関する。
【背景技術】
【０００２】
ハイパースペクトル結像技術は、この二十年来に発展して来た、狭帯域に基づいた画像データ技術である。この技術は、光学、光電子工学、情報処理及びコンピューター科学などの分野の先端技術を組合わせたものであり、伝統的な2次元結像技術とスペクトル技術を結合した新興技術である。ハイパースペクトル結像技術の定義はマルチスペクトル結像の上に、紫外から近赤外までのスペクトル範囲内で、結像分光器によって、スペクトル受信可能範囲内の何十か何百本のスペクトルバンドに目標物体を連続的に結像するものと定義された。物体の空間的特徴を得るとともに、被測定物体のスペクトル情報を得る。
【０００３】
ハイパースペクトル結像技術は、スーパーマルチバンド、高スペクトル分解能、ナローバンド、広いスペクトル範囲、及び画像とスペクトルの一体化などの特徴を有する。その利点は収取した画像の情報量が豊富であることと、識別度が高いことと、データ記述モデルが多いことである。
【０００４】
しかし、現在、通常の結像分光器は急激に変化するシーンを結像するのが難しく、結像対象から極めて詳しいスペクトル情報を捉えることができない。
【発明の概要】
【発明が解決しようとする課題】
【０００５】
急激に変化するシーンを結像することが難しく、結像対象から極めて詳しいスペクトル情報を捉えることができないという従来技術の欠点に対して、本発明はスナップショット型偏光ハイパースペクトルカメラ及び結像方法を提供した。
【課題を解決するための手段】
【０００６】
第1の態様では、本発明は、偏光板と、画像センサーと、スペクトルフィルタとを含み、前記スペクトルフィルタは前記画像センサーにあり、前記偏光板は前記画像センサーの一側にあり、
3つの前記偏光板は、第1の所定角度、第2の所定角度及び第3の所定角度で、所定波長のチャネルの第1の領域、第2の領域及び第3の領域にそれぞれ貼り付けられ、前記チャネルは4つの領域に分けられ、前記偏光板は、入射光を遮蔽したり、透過したりし、異なる偏光角度の光信号を得るためのものであり、
前記画像センサーは、前記3つの偏光板によって得られた異なる偏光角度の光信号を受信し、前記異なる偏光角度の光信号を電気信号に変換するためのものであり、
前記スペクトルフィルタは、前記画像センサーによって変換して得られた前記電気信号を受信し、前記電気信号に対してフィルタ処理を行い、所定波長の高周波電気信号を得るためのものであるスナップショット型偏光ハイパースペクトルカメラを提案する。
【０００７】
前記第1の所定角度は0°であり、前記第2の所定角度は60°であり、前記第3の所定角度は120°であってもよい。
【０００８】
前記偏光板は偏光フィルムと、内保護フィルムと、感圧性接着剤層と、外保護フィルムとを積層して構成された複合材料であってもよい。
【０００９】
前記画像センサーは106台個のフォトダイオードを含み、各前記フォトダイオードは1つの画素として見なされ、前記画像センサーは前記画素より構成された画素アレイであってもよい。
【００１０】
前記スペクトルフィルタはタイル型の前記画素アレイに集積されてもよい。
【００１１】
アナログ−デジタル変換器と、結像レンズと、機体とをさらに含み、
前記アナログ−デジタル変換器は、前記機体内にあり、前記スペクトルフィルタによって得られた高周波電気信号を受信し、前記高周波電気信号のアナログ信号をデジタル信号に変換するためのものであり、
前記結像レンズは、前記機体内にあり、前記アナログ−デジタル変換器によって得られたデジタル信号を受信し、前記デジタル信号を結像するためのものであってもよい。
【００１２】
前記画像センサーはエリアアレイCCDセンサーであってもよい。
【００１３】
第2の態様では、本発明は、
偏光板によって、入射光を遮蔽したり、透過したりし、異なる偏光角度の光信号を得るステップと、
画像センサーによって、前記偏光板によって得られた異なる偏光角度の光信号を受信し、前記異なる偏光角度の光信号を電気信号に変換するステップと、
スペクトルフィルタによって、前記画像センサーによって変換して得られた前記電気信号を受信し、前記電気信号に対してフィルタ処理を行い、所定波長の高周波電気信号を得るステップとを含むスナップショット型偏光ハイパースペクトルカメラに基づいた結像方法を提案する。
【００１４】
3つの前記偏光板は、第1の所定角度、第2の所定角度及び第3の所定角度で、所定波長のチャネルの第1の領域、第2の領域及び第3の領域にそれぞれ貼り付けられ、前記チャネルは4つの領域に分けられ、前記第1の所定角度は0°であり、前記第2の所定角度は60°であり、前記第3の所定角度は120°であってもよい。
【００１５】
アナログ−デジタル変換器によって、前記スペクトルフィルタによって得られた高周波電気信号を受信し、前記高周波電気信号のアナログ信号をデジタル信号に変換するステップと、
結像レンズによって、前記アナログ−デジタル変換器によって得られたデジタル信号を受信し、前記デジタル信号を結像するステップとをさらに含んでもよい。
【発明の効果】
【００１６】
上記の技術案からわかるように、本発明はスペクトルフィルタをセンサーのタイル型画素アレイに集積することにより、急激に変化するシーンに対しての結像を実現すると同時に、特定波長の各チャネル内に複数の偏光板を貼り付けることにより、より精細な結像を実現する。1つの結像対象からスペクトルフィンガプリントのスペクトル特性を捉えることができる。これらスペクトル特性は結像対象の極めて詳しいスペクトル情報を提供し、識別と分類の対象を大幅に向上させ、かつ、新世代の工業のキー技能検査、医学診断及びセキュリティアプリケーションに対して、極めて重大な意義を持っている。
【図面の簡単な説明】
【００１７】
【図１】本発明の一実施例に係るスナップショット型偏光ハイパースペクトルカメラの構造模式図である。
【図２】本発明の一実施例に係るスナップショット型偏光ハイパースペクトルカメラの画像センサーの模式図である。
【図３】本発明の一実施例に係るスナップショット型偏光ハイパースペクトルカメラの結像方法のフロー模式図である。
【発明を実施するための形態】
【００１８】
以下、図面を参考して、発明の具体的な実施形態について説明する。以下の実施例は本発明の技術案をより明確に説明するためのものに過ぎず、本発明の保護範囲を限定するものではない。
【００１９】
図1は本発明の一実施例に係るスナップショット型偏光ハイパースペクトルカメラの構造模式図を示し、偏光板11と、画像センサー12と、スペクトルフィルタ13とを含み、前記スペクトルフィルタ13は前記画像センサー12にあり、前記偏光板11は前記画像センサー12の一側にある。
【００２０】
前記画像センサー12は、前記偏光板によって得られた異なる偏光角度の光信号を受信し、前記異なる偏光角度の光信号を電気信号に変換するためのものである。画像センサー12は本発明のカメラのコア部品であり、収集されたサンプルの拡散反射光信号を電気信号に変換し、その品質はハイパースペクトルカメラの結像品質を決定する。その体積が小さいが、何十万乃至千万個の感光性を有するダイオード-フォトダイオードを含む。各フォトダイオードは1つの画素であり、前記画像センサーは前記画素より構成された画素アレイである。光が照射される時、フォトダイオードは電荷を蓄積し、蓄積された電荷は最終的に対応する画素データに変換される。図2に示すのは画像センサー12の模式図である。各前記画素は1つのチャネル121に対応する。チャネルは1つの画像ファイル中の選択コンテンツ及び他の情報を格納し、一般的に画像中の色階調の変化を示す。例えば、階調画像中のチャネルは黒から白までの256個の色階調の変化を示す。本実施例では、各チャネル121は四つの領域、それぞれ第1の領域1211、第2の領域1212、第3の領域1213及び第4の領域1214に分けられる。
【００２１】
前記スペクトルフィルタ13は、タイル型の前記画素アレイに集積され、前記画像センサー12によって変換して得られた前記電気信号を受信し、前記電気信号に対してフィルタ処理を行い、所定波長の高周波電気信号を得るためのものである。スペクトルフィルタ13は、前記画像センサー12のタイル型画素アレイに集積され、1つの結像対象からスペクトル特性を捉えることができる。これらのスペクトル特性は結像対象の極めて詳しいスペクトル情報を提供する。本実施例では、スナップショットの目的を実現するように、主にスペクトルの高周波情報を捉える。スナップショット型結像技術は識別と分類の対象を大幅に向上させ、かつ、新世代の工業のキー技能検査、医学診断及びセキュリティアプリケーションに対して、重大な意義を持っている。
【００２２】
前記偏光板11は所定波長の各チャネル121に集積された。本実施例では、各前記チャネル121に3つの前記偏光板を集積する。前記3つの偏光板はそれぞれ第1の所定角度0°、第2の所定角度60°及び第3の所定角度120°で、所定波長のチャネルの第1の領域1211、第2の領域1212及び第3の領域1213に貼り付けられ、結像対象に対して異なる角度のスナップショット型結像を実現する。第4の領域1214には、前記偏光板が貼り付けられていない。前記偏光板は入射光を遮蔽したり、透過したりするためのものであり、縦方向の光と横方向の光のうちの一方を透過し、他方を遮蔽し、異なる偏光角度の光信号を得ることができる。偏光板11は偏光フィルムと、内保護フィルムと、感圧性接着剤層と、外保護フィルムとを積層して構成された複合材料である。各チャネルに複数の偏光板11を設けることによって、結像対象がより豊富なスペクトル情報を取得して、より精細な結像を実現することができる。
【００２３】
本実施例に係るスナップショット型偏光ハイパースペクトルカメラは、スペクトルフィルタをセンサーのタイル型画素アレイに集積することにより、急激に変化するシーンに対しての結像を実現すると同時に、特定波長の各チャネル内に複数の偏光板を貼り付けることにより、より精細な結像を実現する。そして、スナップショット型ハイパースペクトル結像カメラの毎回の結像は、2次元シーンに対してのハイパースペクトル結像であり、プラットホームのジッタと振動による影響を効果的に軽減し、また、このカメラは検出器アレイの1つの積分時間内にスペクトル情報を捉える方法であり、結像アーティファクトを避けることができ、データ処理の過程を簡略化して、処理時間を向上させた。
【００２４】
上記の実施例では、前記スナップショット型偏光ハイパースペクトルカメラは、アナログ−デジタル変換器（A/D変換器）と、結像レンズと、機体とをさらに含み、前記アナログ−デジタル変換器は、前記機体内にあり、前記スペクトルフィルタによって得られた高周波電気信号を受信し、前記高周波電気信号のアナログ信号をデジタル信号に変換するためのものであり、前記結像レンズは、前記機体内にあり、前記アナログ−デジタル変換器によって得られたデジタル信号を受信し、前記デジタル信号を結像するためのものである。本実施例では、前記アナログ−デジタル変換器、結像レンズ及び機体は通常のカメラと類似するが、偏光板、画像センサー及びスペクトルフィルタと合わせて使用されて、結像と、スペクトルと、偏光との3つの光検知技術を一体に組合わせたものであり、結像対象がより豊富なスペクトル情報を取得することができる。
【００２５】
上記の実施例では、前記画像センサーは106台個のフォトダイオードを採用することができ、前記画像センサーはエリアアレイCCDセンサーを採用することができる。
【００２６】
図3は本発明の他の実施例に係るスナップショット型偏光ハイパースペクトルカメラ結像方法のフロー模式図であり、
偏光板11によって、入射光を遮蔽したり、透過したりし、異なる偏光角度の光信号を得るステップ101と、
画像センサー12によって、前記偏光板によって得られた異なる偏光角度の光信号を受信し、前記異なる偏光角度の光信号を電気信号に変換するステップ102と、
スペクトルフィルタ13によって、前記画像センサー12によって変換して得られた前記電気信号を受信し、前記電気信号に対してフィルタ処理を行い、所定波長の高周波電気信号を得るステップ103とを含む。
【００２７】
そのうち、3つの前記偏光板は、第1の所定角度、第2の所定角度及び第3の所定角度で、所定波長のチャネルの第1の領域、第2の領域及び第3の領域にそれぞれ貼り付けられている。前記チャネルは4つの領域に分けられる。前記第1の所定角度は0°であり、前記第2の所定角度は60°であり、前記第3の所定角度は120°である。
【００２８】
本発明のスナップショット型偏光ハイパースペクトルカメラの結像方法は、センサーのタイル型画素アレイにスペクトルフィルタを集積することにより、急激に変化するシーンに対しての結像を実現すると同時に、特定波長の各チャネル内に複数の偏光板を貼り付けることにより、より精細な結像を実現する。
【００２９】
上記の実施例では、
アナログ−デジタル変換器によって、前記スペクトルフィルタによって得られた高周波電気信号を受信し、前記高周波電気信号のアナログ信号をデジタル信号に変換するステップと、
結像レンズによって、前記アナログ−デジタル変換器によって得られたデジタル信号を受信し、前記デジタル信号を結像するステップとをさらに含む。
【００３０】
本発明の明細書には、多くの具体的な詳細を説明した。しかし、本発明の実施例はこれらの具体的な詳細なしに実施できることが理解されるだろう。本明細書への理解を曖昧にしないように、一部の実例には、公知の方法、構造及び技術を詳しく示していない。
【図１】
2018513964.tif 000003
【図２】
2018513964.tif 000004
【図３】
2018513964.tif 000005
【国際調査報告】
2018513964.tif 000006
2018513964.tif 000007
2018513964.tif 000008
2018513964.tif 000009